(57)【特許請求の範囲】
【請求項１】
細長いロッドに連結させるための脊椎インプラントであって、
第１端部と第２端部とを有するヨークであって、第１端部は、第１ロッド係合部と、第２ロッド係合部と、第１骨アンカーを包含するための前記第１ロッド係合部と前記第２ロッド係合部との間のチャネルとを備え、第２端部は、前記第１端部から離間しているヨークと、
前記ヨークの前記第２端部から、前記細長いロッドと平行して延在する延長ロッドと、を備え、
前記第１ロッド係合部および前記第２ロッド係合部は、同じ前記細長いロッドのうち、前記細長いロッドの長さ方向に沿って互いに異なる箇所に係合しており、
前記第１ロッド係合部および前記第２ロッド係合部は、前記細長いロッドを固定するために第１固定部材および第２固定部材を受容するように構成され、かつ寸法決定されている、脊椎インプラント。
【請求項２】
前記第１固定部材および前記第２固定部材は、第１セットネジおよび第２セットネジである請求項１に記載の脊椎インプラント。
【請求項３】
前記第１ロッド係合部および前記第２ロッド係合部はフック型の要素である請求項１に記載の脊椎インプラント。
【請求項４】
前記延長ロッドは、第２骨アンカーの中に捕捉され、かつ保持されるように構成され、かつ寸法決定されている請求項１に記載の脊椎インプラント。
【請求項５】
前記延長ロッドは、前記ヨークと一体化されている請求項１に記載の脊椎インプラント。
【請求項６】
細長いロッドに連結させるための脊椎インプラントであって、
第１端部と第２端部とを有するヨークであって、前記第１端部は、第１ロッド係合部、第２ロッド係合部、および第１骨アンカーを包含するための前記第１ロッド係合部と前記第２ロッド係合部との間のチャネルを備え、前記第２端部は、前記第１端部から離間されている、ヨークと、
前記ヨークの前記第２端部から、前記細長いロッドと平行して延在している一体型ロッドと、を備え、
前記第１ロッド係合部および前記第２ロッド係合部は、同じ前記細長いロッドのうち、前記細長いロッドの長さ方向に沿って互いに異なる箇所に係合しており、
前記第１ロッド係合部および前記第２ロッド係合部は、前記細長いロッドを固定するために第１固定部材および第２固定部材を受容するように構成され、かつ寸法決定され、
前記細長いロッドは、前記細長いロッドを前記脊椎インプラントの前記ヨークに連結させる前記第１ロッド係合部および前記第２ロッド係合部に捕捉され、かつ結合されている、脊椎インプラント。
【請求項７】
前記第１固定部材および前記第２固定部材は、第１セットネジおよび第２セットネジである請求項６に記載の脊椎インプラント。
【請求項８】
前記第１ロッド係合部および前記第２ロッド係合部は、フック型の要素である請求項６に記載の脊椎インプラント。
【請求項９】
前記一体型ロッドは、第２骨アンカーの中に捕捉され、かつ保持されるように構成され、かつ寸法決定されている請求項６に記載の脊椎インプラント。
【請求項１０】
脊椎を安定させるためのロッドおよびネジの固定システムであって、
第１骨アンカーおよび第２骨アンカーと、
前記第１骨アンカーおよび前記第２骨アンカーに連結される細長いロッドと、
前記細長いロッドに結合されるクランプであって、
第１端部と第２端部とを有するヨークであって、前記第１端部は、第１ロッド係合部と、第２ロッド係合部と、第１骨アンカーまたは第２骨アンカーのいずれかを包含するための前記第１ロッド係合部と前記第２ロッド係合部との間のチャネルとを有し、前記第２端部は、前記第１端部から間隔を離間されている、ヨークと、
前記ヨークの前記第２端部から、前記細長いロッドと平行して延在する一体型ロッドと、を備えるクランプと、を備え、
前記第１ロッド係合部および前記第２ロッド係合部は、同じ前記細長いロッドのうち、前記細長いロッドの長さ方向に沿って互いに異なる箇所に係合しており、
前記第１ロッド係合部および前記第２ロッド係合部は、前記細長いロッドを固定するために第１固定部材および第２固定部材を受容するように構成され、かつ寸法決定されており、
前記一体型ロッドは、第３骨アンカーと結合される、ロッドおよびネジの固定システム。
【請求項１１】
前記第１固定部材および前記第２固定部材は、第１セットネジおよび第２セットネジである請求項１０に記載のロッドおよびネジの固定システム。
【請求項１２】
前記第１ロッド係合部および前記第２ロッド係合部は、フック型の要素である請求項１０に記載のロッドおよびネジの固定システム。
【発明の詳細な説明】
【発明の詳細な説明】
【０００１】
〔技術分野〕
本発明は、脊椎を安定させ、且つ支持する脊椎インプラントに関する。
【０００２】
（関連出願の相互参照）
本明細書で言及する公表文献および特許出願は全て、個々の公表文献または特許出願が参照により具体的にかつ個別に示されているのと同じ程度まで参照により本明細書に組み込まれる。
【０００３】
〔背景技術〕
脊椎奇形、脊椎損傷、およびその他の脊椎の疾患は、脊椎インプラントを使用して治療される場合がある。脊椎インプラントは、脊椎を支持し、脊椎の構成要素を適切に位置決めするために設計されている。そのような脊椎インプラントの１つは細長いロッドおよび複数の骨アンカーを備える。細長いロッドは脊椎の１または複数の構成要素に沿って延在するように位置付けられ、骨アンカーは一方の端部で脊椎構成要素に取り付けられ、他方の端部で細長いロッドに固定される。
【０００４】
しかし、隣接する部分の病気および他の疾患には、外科医が脊椎インプラント全体を取り除き、生体構造の脊椎構成要素をさらに支持し安定させるために新しいインプラントを位置付けることを必要とする修正手術が求められる場合がある。元の脊椎インプラントを取り除き、続いて新しいインプラントを位置付けることで、患者に対してさらなる問題が生じる場合があり、脊椎手術の費用および時間も増す。それ故、隣接する部分の病気および類似する他の疾患によって生じる外科処置の費用および時間を低減させることによって、生体構造の脊椎構成要素に支持力および安定性を与える脊椎インプラントを提供することが必要である。
【０００５】
具体的には、元のインプラントを取り除くことなく脊椎を融合および安定させ、それにより外科処置の時間と費用を抑えることができる脊椎インプラントが必要である。
【０００６】
〔発明の概要〕
本発明は、細長いロッドに連結させるための脊椎インプラントを提供する。該脊椎インプラントは、第１端部と第２端部とを有するヨークであって、第１端部は、第１ロッド係合部と、第２ロッド係合部と、第１骨アンカーを包含するための第１ロッド係合部と第２ロッド係合部との間のチャネルとを有し、第２端部は、第１端部から離間されている、有するヨークを含む。延長ロッドも提供され、該延長ロッドは、細長いロッドと平行してヨークの第２端部から延在する。第１ロッド係合部および第２ロッド係合部は、細長いロッドを固定するための第１固定部材および第２固定部材を受容するように構成され、かつ寸法決定される。
【０００７】
本発明は添付の図面に示す実施形態を参照することにより一層容易に理解されるであろう。
【０００８】
〔図面の簡単な説明〕
図１は、本発明に係る脊椎インプラントを示す図である。
【０００９】
図２〜図５は、ロッドおよびネジのシステムを組み合わせた脊椎インプラントの様々な図を示す。
【００１０】
図６は、本発明に係るインプラントシステムの分解図である。
【００１１】
図７は、本発明の別の実施形態を示す図である。
【００１２】
図８は、本発明のさらに別の実施形態を示す図である。
【００１３】
〔発明を実施するための形態〕
これから本発明の実施形態を説明する。本発明の以下の詳細な説明は、全ての実施形態を例証することを意図しない。本発明を説明する実施形態は、明確性のために特定の用語を用いる。しかし、本発明はそのように選択された特定の用語に限定されることを意図しない。特定の要素の各々は、類似する目的を達成するために類似する方法で機能する技術的に等価なものを全て含む。 
【００１４】
図１は、本発明の一実施形態に係る延長クランプ１０を示す。示されるように、クランプ１０は、ヨーク１２および一体型ロッド１４を有して構成され、かつ寸法決定されている。図１において明白に示すように、クランプ１０のヨーク１２およびロッド１４は、単一の部品として一体化されている。ヨーク１４は、好ましくは１６０ミリメートルの長さであり、５．５ミリメートルの直径を有するロッド１２と結合または一体化されている。しかし、ロッド１２は、融合固定システムの安定性を高めるために、患者の生体構造および任意の要件に適合するように形状化され大きさが決められてよい。クランプ１０は、図２〜図６に示すロッドおよびネジのシステムに連結するように構成されている。また、クランプ１０のヨーク１２は、ロッドと係合するために、第１ロッド係合部１６および第２ロッド係合部１８を備えて構成されている。第１ロッド係合部１６および第２ロッド係合部１８の各々には、ロッド上にクランプ１０を固定するために、第１固定部材２０および第２固定部材２２が設けられている。第１ロッド係合部と第２ロッド係合部との間のチャネルは、骨アンカーまたは茎ネジのような留め具構成要素を包含するように寸法決定されており、該チャネルは、図２〜図６に一層明白に示されている。
【００１５】
図２〜図６は、留め具／ネジ２４およびロッド２６に対する延長クランプ１０の連結を示す。図２〜図６に示すように、ヨーク１２の第１係合部１６および第２係合部１８は、ロッド２６と係合する。脊椎の骨要素に取り付けられ、ロッド２６を捕捉し、かつ保持する骨アンカーは、ヨーク１２のチャネルの中に適合する。ヨーク１２は骨アンカーを包含し、第１固定部材２０および第２固定部材２２を介してロッド２６に固定される。ロッド２６に連結され、骨留め具を取り囲むクランプ１０は、クランプ１０の一体型ロッド１４が別の骨アンカーを介して隣接する高さの部分にある脊椎の骨要素に取り付けられるので、脊椎にさらなる安定性を提供する。示されるように、一体型ロッド１４は、クランプ１０のヨーク１２に結合されるロッド２６から離間されている。一体型ロッド１４は、連結されたロッド２６と平行軸に在る。この特定の実施形態では、一体型ロッド１４は、ヨーク１２から離間されたクランプ１０の一方の端部から延在していることが示される。しかし一体型ロッドは、図７に示すように、ヨークから離間されたクランプの第２端部から延在する一体型ロッド１４のような、種々の異なる設計で構成することができる。 
【００１６】
クランプをロッド２６に結合させるためにセットネジが示されているが、ボルト、ピン、シュー、干渉部材、またはカム部材を含むがこれらに限定されるものではない任意の種類の固定部材を使用することができる。例示的な一実施形態では、固定部材は、固定部材を第２開口内にねじ込むためのドライバーまたは他の器具と係合するための連結部を備える。
【００１７】
一体型ロッド１４は、脊椎の茎または別の骨要素に取り付けられる留め具によって受容され、かつ捕捉されるように構成され、かつ寸法決定されている。このシステムにより、外科医は外科処置の時間を減少させるだけでなく、椎骨間の融合を強化させるときにはさらなる安定性および支持力を提供することができる。
【００１８】
図８は、本発明の別の実施形態を示す。この特定の実施形態では、クランプ２８は、一列になった軸状になるようにロッドに取り付けられるように構成され、かつ寸法決定されている。クランプ２８には、ヨーク３０および一列になった一体型ロッド３２が設けられている。クランプ２８は、ヨーク３０のロッド係合部３４によりロッド（不図示）に固定される。ヨーク３０は、固定部材３６および固定部材３８を介してロッドに固定される。ロッドの一方の端部は、ヨーク３０の他方の端部に位置付けられる。先に述べたように、本発明に係るクランプにロッドを固定するために、任意の種類の固定要素が使用されてもよい。
【００１９】
本発明の構成要素を有する例示的な実施形態を本明細書に説明した。上述したように、こうした例示的な実施形態は例示目的としてのみ説明しており、限定するものではない。他の実施形態が可能であり、他の実施形態は、本発明に包含される。そのような実施形態は本明細書に含まれる教示に基づき当業者には明らかであろう。従って、本発明の広さおよび範囲は、先に説明した例示的な実施形態のいずれかによって限定されるべきではなく、以下の特許請求の範囲およびそれらの均等物に従ってのみ定義されるべきである。
【図面の簡単な説明】
【００２０】
【図１】本発明に係る脊椎インプラントを示す図である。
【図２】ロッドおよびネジのシステムを組み合わせた脊椎インプラントの様々な図を示す。
【図３】ロッドおよびネジのシステムを組み合わせた脊椎インプラントの様々な図を示す。
【図４】ロッドおよびネジのシステムを組み合わせた脊椎インプラントの様々な図を示す。
【図５】ロッドおよびネジのシステムを組み合わせた脊椎インプラントの様々な図を示す。
【図６】本発明に係るインプラントシステムの分解図である。
【図７】本発明の別の実施形態を示す図である。
【図８】本発明のさらに別の実施形態を示す図である。
【図１】
0005577400.tif 000002
【図２】
0005577400.tif 000003
【図３】
0005577400.tif 000004
【図４】
0005577400.tif 000005
【図５】
0005577400.tif 000006
【図６】
0005577400.tif 000007
【図７】
0005577400.tif 000008
【図８】
0005577400.tif 000009